(57)【要約】表示装置（１０）において、複数のユニットの複数対の表示電極（２；（Ｘ１，Ｙ１）〜（Ｘｊ，Ｘｎ））は、その複数のユニット分の長さを有するように電気的に接続されている。１つの走査駆動回路（７００）は、複数のユニットの中の隣接する２つのユニット（３２１，３２２）の間の境界において、その複数対の表示電極の各表示電極対のうちのその一方の表示電極（Ｙ１〜Ｙｎ）に走査電圧を印加し、その一方の表示電極に維持電圧パルスを印加する。【選択図】図９
2007141847.tif 000002
【特許請求の範囲】
【請求項１】
内部に、蛍光体層が形成されると共に放電ガスが封入され、長手方向に複数の発光点をそれぞれ有する複数のガス放電管が並置され、前記複数のガス放電管の表示面側に複数対の表示電極が配置され、前記複数のガス放電管の背面側に複数の信号電極が配置された複数のユニットからなる表示装置であって、
前記複数のユニットの前記複数対の表示電極は、前記複数のユニット分の長さを有するように電気的に接続されており、
第１の期間において前記複数のユニットの前記複数対の表示電極の各表示電極対のうちの一方の表示電極に走査電圧パルスを印加し、第２の期間において前記一方の表示電極に維持電圧パルスを印加する少なくとも１つの走査駆動回路と、
前記第２の期間において前記複数のユニットの前記複数対の表示電極の各表示電極対のうちの他方の表示電極に維持電圧パルス用の電位を印加する少なくとも１つの維持電圧回路と、
を具え、
前記１つの走査駆動回路は、前記複数のユニットの中の隣接する２つのユニットの間の境界において、前記複数対の表示電極の各表示電極対のうちの前記一方の表示電極に走査電圧パルスを印加し、前記一方の表示電極に維持電圧パルスを印加するものであることを特徴とする、表示装置。
【請求項２】
前記１つの維持電圧回路は、前記複数のユニットの１つの外側辺において前記他方の表示電極に維持電圧パルスを印加することを特徴とする、請求項１に記載の表示装置。
【請求項３】
前記１つの維持電圧回路は、前記２つのユニットの間の境界において前記他方の表示電極に維持電圧パルスを印加することを特徴とする、請求項１に記載の表示装置。
【請求項４】
前記複数のユニットの中の１つの外側のユニットは、その背面に、前記１つの走査駆動回路と前記１つの維持電圧回路と、前記１つの走査駆動回路と前記１つの維持電圧回路を制御する制御回路と、を有することを特徴とする、請求項１乃至３のいずれかに記載の表示装置。
【請求項５】
前記複数の走査駆動回路の中の別の１つの走査駆動回路は、前記複数のユニットの中の隣接する他の２つのユニットの間の境界において、前記複数対の表示電極の各表示電極対のうちの前記一方の表示電極に走査電圧パルスを印加し、前記一方の表示電極に維持電圧パルスを印加し、
前記１つの走査駆動回路および前記別の１つの走査駆動回路の各々の走査電圧パルスは、他方の走査電圧パルスとの間の同期ずれを防止するための期間を、隣接走査電圧パルス間に有するものであることを特徴とする、請求項１に記載の表示装置。
【発明の詳細な説明】
【技術分野】
【０００１】
本発明は、大型の表示装置に関し、特に、内部に蛍光体層を有する複数のプラズマ・チューブ・アレイからなる大型の表示装置の走査パルス回路の電気的接続に関する。
【背景技術】
【０００２】
プラズマ・ディスプレイ・パネル（ＰＤＰ）は、縦横の多数の小セルの閉じた放電空間内でプラズマ放電を生じさせ、放電プラズマから放出される１４７ｎｍの紫外光で蛍光体を励起して発光させる。そのセル空間は、重ね合わせた２枚の平板のガラスの間に形成される。一方、プラズマ・チューブ・アレイ（ＰＴＡ）では、細長いガラス・チューブ内に蛍光体層を形成しまたは蛍光体層を形成した支持部材を挿入して、そのチューブ内に多数のセル空間を形成する。そのようなプラズマ・チューブを多数並置することによって、例えば６ｍ×３ｍの大型の表示画面を形成することができる。通常のプラズマ・チューブ・アレイでは、Ｘ電極ドライバ装置からＸ電極用の維持電圧パルスが印加され、Ｙ電極ドライバ装置のＹ電極用の維持電圧パルス回路からＹ電極ドライバ装置の走査ドライバ回路を介してＹ電極用の維持電圧パルスが印加される。【０００３】
特開２００４−１７８８５４号公報（特許文献１）には、発光管アレイ型表示装置が記載されている。その発光管アレイ型表示装置は、表示画面を構成する発光管アレイと、発光管アレイを表示面側と背面側から支持するとともに、発光管に電圧を印加するための多数の電極が発光管アレイ対向面にストライプ状に形成された支持体と、表示画面の表示領域外で支持体に設けられた端子電極引き出し部と、表示画面の表示領域内で支持体に設けられた中継電極引き出し部と、端子電極引き出し部に電圧を印加する第１ドライバと、中継電極引き出し部に電圧を印加する第２ドライバとを備えている。それによって、大きな画面サイズの表示装置でも、電圧降下が生じない電極構造を有し、それによって表示装置の輝度ムラを防止する。
【特許文献１】特開２００４−１７８８５４号公報
【発明の開示】
【発明が解決しようとする課題】
【０００４】
それぞれのＸ電極およびＹ電極用の駆動回路を具えた並置された複数ユニットのプラズマ・チューブ・アレイからなる大型の表示装置では、サイズが大きくなるほど表示電極の長さが増大し、表示電極の抵抗、インダクタンスおよび／または容量成分が増大する。パルス電圧の印加位置から離れたセルの位置までの表示電極のインダクタンスが増大すると、アドレス放電およびサステイン放電用の印加電圧パルスの波形および実効電圧値に影響を与えることがある。パルス波形の歪みによってアドレス電圧パルスの立ち上がり遅延時間が長くなると、発光セルに印加される有効印加電圧パルスの持続時間が短くなり、従ってセルはサステイン放電を失敗しやすくなる。また、パルス電圧の印加位置から離れたセルの位置までの表示電極の抵抗が増大すると電圧降下が増大し、セル間の実効電圧の差が増大するので、セル間に輝度のばらつきが生じやすくなる。【０００５】
そのような表示電極のインダクタンスおよび抵抗の増大を防止するために、通常、表示電極の幅または厚さを増大させるが、表示電極の遮光率が高くなり、従って表示装置の発光効率が低くなり、それによって表示画質が低下することがあった。【０００６】
発明者たちは、駆動回路を具えた並置された複数ユニットのプラズマ・チューブ・アレイからなる大型の表示装置において、複数ユニットのプラズマ・チューブ・アレイに対する走査回路の配置および接続を有利な形態で設計することによって各ユニットにおけるアドレス放電の失敗およびそれに伴うサステイン放電の失敗を大幅に減少させることができ、それによって表示の輝度ムラが減少する、と認識した。【０００７】
本発明の目的は、複数ユニットからなる大型の表示装置において輝度ムラを減少させることである。【０００８】
本発明の別の目的は、複数ユニットからなる大型の表示装置においてアドレス放電の失敗を減少させることである。【０００９】
本発明のさらに別の目的は、複数ユニットからなる大型の表示装置の複数の走査駆動回路の走査パルスの同期ずれを防止することである。
【課題を解決するための手段】
【００１０】
本発明の特徴によれば、表示装置は、内部に、蛍光体層が形成されると共に放電ガスが封入され、長手方向に複数の発光点をそれぞれ有する複数のガス放電管が並置され、その複数のガス放電管の表示面側に複数対の表示電極が配置され、その複数のガス放電管の背面側に複数の信号電極が配置された複数のユニットからなる。その複数のユニットのその複数対の表示電極は、その複数のユニット分の長さを有するように電気的に接続されている。その表示装置は、第１の期間においてその複数のユニットのその複数対の表示電極の各表示電極対のうちの一方の表示電極に走査電圧を印加し、第２の期間においてその一方の表示電極に維持電圧パルスを印加する少なくとも１つの走査駆動回路と、その第２の期間においてその複数のユニットのその複数対の表示電極の各表示電極対のうちの他方の表示電極に維持電圧パルス用の電位を印加する少なくとも１つの維持電圧回路と、を具えている。その１つの走査駆動回路は、その複数のユニットの中の隣接する２つのユニットの間の境界において、その複数対の表示電極の各表示電極対のうちのその一方の表示電極に走査電圧を印加し、その一方の表示電極に維持電圧パルスを印加する。【００１１】
本発明の別の特徴によれば、その複数の走査駆動回路の中の別の１つの走査駆動回路は、その複数のユニットの中の隣接する他の２つのユニットの間の境界において、その複数対の表示電極の各表示電極対のうちのその一方の表示電極に走査電圧を印加し、その一方の表示電極に維持電圧パルスを印加する。その１つの走査駆動回路およびその別の１つの走査駆動回路の各々の走査電圧パルスは、他方の走査電圧パルスとの間の同期ずれを防止するための期間を、隣接走査電圧パルス間に有する。
【発明の効果】
【００１２】
本発明によれば、複数ユニットからなる大型の表示装置において輝度ムラを減少させることができ、アドレス放電の失敗を減少させることができ、複数ユニットからなる大型の表示装置の複数の走査駆動回路の走査パルスの同期ずれを防止することができる。
【発明を実施するための最良の形態】
【００１３】
本発明の実施形態を、図面を参照して説明する。図面において、同様の構成要素には同じ参照番号が付されている。【００１４】
図１は、通常カラー表示装置用のプラズマ・チューブまたはガス放電管１１Ｒ、１１Ｇおよび１１Ｂのアレイのユニット３００の概略的な部分的構造を例示している。図１において、プラズマ・チューブ・アレイ（ＰＴＡ）のユニット３００は、互いに平行に配置された透明な細長いカラー・プラズマ・チューブ１１Ｒ、１１Ｇおよび１１Ｂのアレイ、透明な前面側の支持シートまたは薄い基板からなる前面側支持基板３１、透明なまたは不透明な背面側の支持シートまたは薄い基板からなる背面側支持基板３２、複数の表示電極対または主電極対２、および複数の信号電極またはアドレス電極３を含んでいる。図１において、Ｘは表示電極２のうちの維持電極またはＸ電極を示し、Ｙは表示電極２のうちの走査電極またはＹ電極を示している。Ｒ、ＧおよびＢは蛍光体の発光色である赤、緑および青を示している。支持基板３１および３２は、例えば可撓性のＰＥＴフィルム、ガラス等で作られている。【００１５】
細長いプラズマ・チューブ１１Ｒ、１１Ｇおよび１１Ｂの細管２０は、例えばホウケイ酸ガラス、パイレックス（登録商標）、ソーダガラス、石英ガラスまたはゼロデュアのような透明な絶縁体で作製され、典型的には、管径が２ｍｍ以下であり、例えば、管の断面の幅約１ｍｍおよび高さ約０．５５ｍｍであり、長さが３００ｍｍ以上であり、管壁の厚さ約０．１ｍｍの寸法を有する。【００１６】
プラズマ・チューブ１１Ｒ、１１Ｇおよび１１Ｂの内部の背面側には、赤、緑、青（Ｒ、Ｇ、Ｂ）の蛍光体層４をそれぞれ形成した支持部材がそれぞれ挿入されて配置され、放電ガスが導入されて、両端が封止されている。プラズマ・チューブ１１Ｒ、１１Ｇおよび１１Ｂの内面にはＭｇＯからなる電子放出膜５が形成されている。蛍光体層Ｒ、Ｇ、Ｂは、典型的には、約１０μｍ〜約５０μｍの範囲の厚さを有する。【００１７】
支持部材は、プラズマ・チューブ１１Ｒ、１１Ｇ、１１Ｂと同様に、例えばホウケイ酸ガラス、パイレックス（登録商標）、石英ガラス、ソーダガラス、鉛ガラスのような絶縁体で作製され、この支持部材上に蛍光体層４が形成されている。支持部材は、ガラス管の外部で、支持部材上に蛍光体ペーストを塗布し、それを焼成して支持部材上に蛍光体層４を形成した後、その支持部材をガラス管内に挿入して配置することができる。そのような蛍光体ペーストとして、当該分野で公知の各種の蛍光体ペーストを利用することができる。【００１８】
電子放出膜５は、放電ガスの荷電粒子との衝突により電子を発生する。蛍光体層４は、表示電極対２に電圧を印加することにより励起された管内に封入された放電ガスが脱励起することによって発生する真空紫外光によって励起され、可視光を発生する。【００１９】
図２Ａは、透明な複数の表示電極対２が形成された前面側支持基板３１を示している。図２Ｂは、複数の信号電極３が形成された背面側支持基板３２を示している。【００２０】
信号電極３は、背面側支持基板３２の前面すなわち内面上に形成され、プラズマ・チューブ１１Ｒ、１１Ｇおよび１１Ｂの長手方向に沿って設けられている。隣接する信号電極３間のピッチは、プラズマ・チューブ１１Ｒ、１１Ｇおよび１１Ｂの各々の幅とほぼ同じであり、例えば１ｍｍである。複数の表示電極対２は、周知の形態で前面側支持基板３１の背面すなわち内面上に形成され、信号電極３と直角に交差する方向に配置されている。表示電極２の幅は例えば０．７５ｍｍであり、各１対の表示電極２の端縁間の距離は例えば０．４ｍｍである。表示電極対２と隣の表示電極対２の間には、非放電領域となる距離または非放電ギャップが確保され、その距離は例えば１．１ｍｍである。【００２１】
信号電極３と表示電極対２は、ＰＴＡユニット３００の組み立て時にプラズマ・チューブ１１Ｒ、１１Ｇおよび１１Ｂの下側の外周面部分と上側の外周面部分にそれぞれ密着するように接触させる。その密着性を良くするために、それぞれの電極とプラズマ・チューブ面との間に接着剤を介在させて接着してもよい。【００２２】
このＰＴＡユニット３００を正面から平面的にみた場合、信号電極３と表示電極対２との交差部が単位発光領域となる。表示は、表示電極対２のいずれか１本を走査電極Ｙとして用い、その走査電極Ｙと信号電極３との交差部で選択放電を発生させて発光領域を選択し、その放電により当該領域の管内面に形成された壁電荷を利用して、表示電極対２で表示放電を発生させ、蛍光体層を発光させることによって行う。選択放電は、垂直方向に対向する走査Ｙ電極と信号電極３との間のプラズマ・チューブ１１Ｒ、１１Ｇおよび１１Ｂ内で発生される対向放電である。表示放電は、平面上に平行に配置された１対の表示電極間のプラズマ・チューブ１１Ｒ、１１Ｇおよび１１Ｂ内で発生される面放電である。【００２３】
表示電極対２と信号電極３は、電圧を印加することによって管内部の放電ガスに放電を発生させることが可能である。図１では、プラズマ・チューブ１１Ｒ、１１Ｇおよび１１Ｂの電極構造は、１つの発光部位に３つの電極が配置された構成であり、表示電極対２によって表示放電が発生される構造であるが、これに限定されるものではなく、表示電極２と信号電極３の間で表示放電が発生される構造であってもよい。即ち、表示電極対２を１本とし、この表示電極２を走査電極として用いて信号電極３との間に選択放電と表示放電（対向放電）を発生させる形式の電極構造であってもよい。【００２４】
図３は、ＰＴＡユニット３００のプラズマ・チューブ・アレイ１１の管の長手方向に垂直な断面の構造を示している。ＰＴＡユニット３００において、プラズマ・チューブ１１Ｒ、１１Ｇおよび１１Ｂは、その中の背面側の支持部材６Ｒ、６Ｇおよび６Ｂの内面に蛍光体層４Ｒ、４Ｇおよび４Ｂが形成されており、断面幅１．０ｍｍ、断面高さ０．５５ｍｍ、管壁の厚さ０．１ｍｍ、および長さ１ｍ〜３ｍの細管からなる。一実施例として、赤の蛍光体４Ｒはイットリア系（（Ｙ．Ｇａ）ＢＯ3：Ｅｕ）の材料を含み、緑の蛍光体４Ｇはジンクシリケート系（Ｚｎ2ＳｉＯ4：Ｍｎ）の材料を含み、青の蛍光体４ＢはＢＡＭ系（ＢａＭｇＡｌ10Ｏ17：Ｅｕ）の材料を含む。【００２５】
図３において、プラズマ・チューブ１１Ｒ、１１Ｇおよび１１Ｂの底面には、粘着剤層３４を介して背面側支持基板３２が接着されている。プラズマ・チューブ１１Ｒ、１１Ｇおよび１１Ｂの底面に、および背面側支持基板３２の上面に信号電極３Ｒ、３Ｇおよび３Ｂが配置されている。【００２６】
図４は、通常の表示装置１０のＰＴＡユニット３００の背面におけるＸ電極ドライバ回路基板５００、Ｙ電極ドライバ回路７００、アドレス電極ドライバ回路（ＡＤ）４６、およびドライバ制御回路４２の電気的接続を示している。【００２７】
図５は、ＰＴＡユニット３００に接続された、通常のＹ電極ドライバ回路７００におけるＹ電極用の維持電圧パルス回路（ＳＳＴ）６０および走査パルス回路（ＳＣＮ）７０と、Ｘ電極ドライバ回路基板５００上のＸ電極用の維持電圧パルス回路５０の概略的構成を示している。【００２８】
維持電圧パルス回路（ＳＳＴ）５０は、スイッチを介してＸ電極Ｘ１〜Ｘｎに接続されるバイアス電圧源Ｖｓ、およびスイッチを介してＸ電極Ｘ１〜Ｘｎに接続される接地電位ＧＮＤを含んでいる。【００２９】
維持電圧パルス回路（ＳＳＴ）６０は、スイッチを介して走査パルス回路（ＳＣＮ）７０に接続された高いパルス電圧源Ｖｓ、およびスイッチを介して走査パルス回路７０に接続された接地電位ＧＮＤを含んでいる。走査パルス回路（ＳＣＮ）７０は、パルス電圧源Ｖｓおよび接地電位ＧＮＤをＹ電極Ｙ１〜Ｙｎに結合する。走査パルス回路７０は、さらに、スイッチを介してＹ電極Ｙ１〜Ｙｎに接続されるバイアス電圧源Ｖｓｃ、およびスイッチを介してＹ電極Ｙ１〜Ｙｎに接続される走査パルス電源−Ｖｙを含んでいる。【００３０】
図４を参照すると、表示装置１０において、ＰＴＡユニット３００のｎ対の表示電極対２ （Ｘ１，Ｙ１）〜（Ｘｎ，Ｙｎ）のＸ電極は、前面支持基板３１の右辺からフレキシブル・ケーブル５００ＦＣを介してＸ電極ドライバ回路基板５００上のＸ電極用の維持電圧パルス回路５０に接続され、そのＹ電極は、前面支持基板３１の左辺からフレキシブル・ケーブル７０ＦＣを介してＹ電極ドライバ回路７００のＹ電極高電圧回路基板６００上の走査パルス回路７０に接続される。Ｙ電極ドライバ回路７００上のＹ電極用の維持電圧パルス回路６０は、フレキシブル・ケーブルを介して走査パルス回路７０に接続される。ＰＴＡユニット３００のｍ本の信号電極３ Ａ１〜Ａｍは、背面支持基板３２の底辺からフレキシブル・ケーブル４６ＦＣを介してアドレス・ドライバ回路４６に接続される。Ｘ電極ドライバ回路基板５００はさらにリセット回路（ＲＳＴ）５１を含んでいる。Ｙ高電圧回路基板６００はさらにリセット回路（ＲＳＴ）６１を含んでいる。ドライバ制御回路４２が、Ｘ電極ドライバ回路基板５００、Ｙ電極ドライバ回路７００のＹ電極高電圧回路基板６００およびアドレス・ドライバ回路４６に接続される。ＰＴＡユニット３００の背面には、さらに、各回路４２、４６、５００および７００に電力を供給する電源（ＰＳ）４０が設けられている。【００３１】
次に、一般的なプラズマ・チューブ・アレイ型のＡＣ型ガス放電表示装置の駆動法の一例について説明する。１つのピクチャ（映像）は典型的には１フレーム期間で構成されており、インターレース型走査では１フレームが２つのフィールドで構成され、プログレッシブ型走査では１フレームが１つのフィールドで構成されている。また、通常のテレビジョン方式による動画表示のためには１秒間に３０フレームの表示が必要である。そこでこの種ガス放電表示装置１０による表示では、２値の発光制御によって階調を持ったカラー再現を行うために、典型的にはそのような１フィールドＦをｑ個のサブフィールドＳＦの集合に置き換える。しばしば、これらサブフィールドＳＦに順に２0，２1，２2，．．．２q-1等の異なる重みを付けて各サブフィールドＳＦの表示放電の回数を設定する。サブフィールド単位の発光／非発光の組合せでＲ，ＧおよびＢの各色毎にＮ（＝１＋２1＋２2＋．．．＋２q-1 ）段階の輝度設定を行うことができる。このようなフィールド構成に合わせてフィールド転送周期であるフィールド期間Ｔｆをｑ個のサブフィールド期間Ｔｓｆに分割し、各サブフィールドＳＦに１つのサブフィールド期間Ｔｓｆを割り当てる。さらに、サブフィールド期間Ｔｓｆを、初期化のためのリセット期間ＴＲ、アドレッシングのためのアドレス期間ＴＡ、および維持放電による発光のための表示期間ＴＳに分ける。典型的には、リセット期間ＴＲおよびアドレス期間ＴＡの長さが重みに係わらず一定であるのに対し、表示期間ＴＳにおけるパルス数は重みが大きいほど多く、表示期間ＴＳの長さは重みが大きいほど長い。この場合、サブフィールド期間Ｔｓｆの長さも、該当するサブフィールドＳＦの重みが大きいほど長い。【００３２】
図６は、通常の表示装置１０における、Ｘ電極ドライバ回路基板５００、Ｙ電極ドライバ回路７００およびアドレス・ドライバ回路４２の出力駆動電圧波形の概略的な駆動シーケンスを例示している。なお、図示の波形は一例であり、振幅、極性およびタイミングを様々に変更することができる。【００３３】
リセット期間ＴＲ、アドレス期間ＴＡおよびサステイン期間ＴＳの順序は、ｑ個のサブフィールドＳＦにおいて同じであり、駆動シーケンスはサブフィールドＳＦ毎に繰り返される。各サブフィールドＳＦのリセット期間ＴＲにおいては、全ての表示電極Ｘに対して負極性のパルスＰｒｘ１と正極性のパルスＰｒｘ２とを順に印加し、全ての表示電極Ｙに対して正極性のパルスＰｒｙ１と負極性のパルスＰｒｙ２とを順に印加する。パルスＰｒｘ１，Ｐｒｙ１およびＰｒｙ２は微小放電が生じる変化率で振幅が漸増するランプ波形または鈍波パルスである。最初に印加されるパルスＰｒｘ１およびＰｒｙ１は、前サブフィールドＳＦにおける発光／非発光に係わらず全ての放電セルにいったん同一極性の適度の壁電荷を生じさせるために印加される。引き続き適度の壁電荷が存在する放電セルにパルスＰｒｘ２およびＰｒｙ２を印加することにより、この壁電荷を維持パルスでは再放電しないレベル（消去状態）まで減少させるように調整する。セルに加わる駆動電圧は、表示電極ＸおよびＹに印加されるパルスの振幅の差を表す合成電圧である。【００３４】
アドレス期間ＴＡにおいては、発光させる放電セルのみに放電維持に必要な壁電荷を形成する。全ての表示電極Ｘおよび全ての表示電極Ｙを所定電位にバイアスした状態で、行選択期間（１行分のスキャン時間）毎に選択行に対応した表示電極Ｙに負極性のスキャン・パルス−Ｖｙを印加する。この行選択と同時にアドレス放電を生じさせるべき選択セルに対応したアドレス電極Ａのみにアドレス・パルスＶａを印加する。つまり、選択行ｊのｍ列分のサブフィールドデータＤｓｆに基づいてアドレス電極Ａ1〜Ａmの電位を走査ライン毎に２値制御する。これによって、選択セルでは表示電極Ｙとアドレス電極Ａとの間で放電管内にアドレス放電が生じる。そのアドレス放電によって書き込まれた表示データが放電管のセル内壁に壁電荷の形で記憶され、その後のサステイン・パルスの印加により表示電極Ｘ−Ｙ間の面放電が生じる。【００３５】
サステステイン期間ＴＳにおいては、最初に先のアドレス放電で生じた壁電荷と加算されて維持放電を発生する極性（図の例では正極性）のサステイン・パルスＰｓを印加する。その後、表示電極Ｘと表示電極Ｙとに対して交互にサステイン・パルスＰｓを印加する。サステイン・パルスＰｓの振幅は維持電圧Ｖｓである。サステイン・パルスＰｓの印加によって、所定の壁電荷が残存する放電セルにおいて面放電が生じる。サステイン・パルスＰｓの印加回数は、上述したようにサブフィールドＳＦの重みに対応する。なお、サステイン期間ＴＳ全体にわたって不要な対向放電を防止するために、アドレス電極Ａをサステイン・パルスＰｓと同極性の電圧Ｖａｓにバイアスしてもよい。【００３６】
図７は、通常の表示装置１２の隣接配置された２つのＰＴＡユニット３０１および３０２の背面におけるＸ電極ドライバ回路基板５００、Ｙ電極ドライバ回路７００および２つのアドレス電極ドライバ回路（ＡＤ）４６の電気的接続を示している。【００３７】
ＰＴＡユニット３０１は、その背面に、電源４０、ドライバ制御回路４２、ＰＴＡユニット３０１用のアドレス・ドライバ回路４６、およびＸ電極ドライバ回路基板５００を有する。ＰＴＡユニット３０２は、その背面に、ＰＴＡユニット３０２用のアドレス・ドライバ回路４６、およびＹ電極ドライバ回路７００を有する。ＰＴＡユニット３０１のｎ対の表示電極対２ （Ｘ１，Ｙ１）〜（Ｘｎ，Ｙｎ）のＸ電極は、前面支持基板３１の右辺からフレキシブル・ケーブルを介してＸ電極ドライバ回路基板５００に接続される。ＰＴＡユニット３０２のｎ対の表示電極対２ （Ｘ１，Ｙ１）〜（Ｘｎ，Ｙｎ）のＹ電極は、前面支持基板３１の左辺からフレキシブル・ケーブルを介してＹ電極ドライバ回路７００の走査パルス回路７０に接続される。ＰＴＡユニット３０１および３０２の各々はＬｙの横幅を有し、従って各ＰＴＡユニットの表示電極対２の長さはＬｙを有する。Ｌｙの長さは、例えば０．５〜２．０ｍの範囲の値である。【００３８】
図８は、表示装置１２の隣接する２つのＰＴＡユニット３０１および３０２にわたって延びる表示電極対２のうちの走査電極Ｙｊの長手方向に沿った走査電圧パルス−Ｖｙの波形を示している。【００３９】
走査期間ＴＳにおいて走査パルス回路７０から走査電極Ｙｊに印加された走査電圧パルス−Ｖｙは、矩形に近い台形の波形を有するが、走査電極Ｙｊの長手方向の距離（Ｄ＝０〜Ｄ＝２Ｌｙ）が長くなるに従って、そのインダクタンス成分によってより大きいリンギングを生じ、その電気抵抗によって高さがより小さくなるように、より歪んだ波形を有する。従って、走査パルス回路７０の走査電圧パルスが印加される境界上のＹ電極の部分から最も遠い位置（Ｄ＝２Ｌｙ）にあるＰＴＡユニット３０１における走査電極Ｙｊの部分の放電セルでは、走査電圧パルス−Ｖｙの実効的な幅および高さが不充分なので、アドレス放電に失敗することがある。それによって、そのようなセルは、その後のサステイン期間ＴＳにおけるサステイン放電に失敗することがある。【００４０】
図９は、本発明の実施形態による、表示装置１０２における、ＰＴＡユニット３２１の背面右側のＸ電極ドライバ回路基板５００、ＰＴＡユニット３２１の背面左側のＹ電極ドライバ回路７００、およびＰＴＡユニット３２１および３２２の背面下側の２つのアドレス電極ドライバ回路（ＡＤ）４６の電気的接続の例を示している。【００４１】
表示装置１０２において、ＰＴＡユニット３２１および３２２は両者の間の境界において互いに接続された表示電極対２ （Ｘ１，Ｙ１）〜（Ｘｎ，Ｙｎ）を有する。ＰＴＡユニット３２１のｎ対の表示電極対２ （Ｘ１，Ｙ１）〜（Ｘｎ，Ｙｎ）のＸ電極は、ＰＴＡユニット３２１の右辺における前面支持基板３１の端部からフレキシブル・ケーブル５００ＦＣを介してＸ電極ドライバ回路基板５００上のＸ電極用の維持電圧パルス回路５０（図４）に接続される。そのＹ電極は、ＰＴＡユニット３２１の左辺とＰＴＡユニット３２２の右辺の間の境界上の前面支持基板３１の部分からフレキシブル・ケーブル７００ＦＣを介してＹ電極ドライバ回路７００の走査パルス回路７０に接続される。Ｙ電極ドライバ回路７００のＹ電極高電圧回路基板６００は、フレキシブル・ケーブルを介して走査パルス回路７０に接続される。ＰＴＡユニット３２１のｍ本の信号電極３ Ａ１〜Ａｍは、ＰＴＡユニット３２１の底辺における背面支持基板３２の端部からフレキシブル・ケーブル４６ＦＣを介してＰＴＡユニット３２１のアドレス・ドライバ回路４６に接続される。【００４２】
ドライバ制御回路４２が、Ｘ電極ドライバ回路基板５００、Ｙ電極ドライバ回路７００のＹ電極高電圧回路基板６００、およびＰＴＡユニット３２１のアドレス・ドライバ回路４６にそれぞれのケーブルを介して接続される。ＰＴＡユニット３２１の背面には、さらに、各回路４２、４６、５００および７００に電力を供給する電源（ＰＳ）４０が設けられている。ＰＴＡユニット３２２のｍ本の信号電極３ Ａ１〜Ａｍは、ＰＴＡユニット３２２の底辺における背面支持基板３２の端部からフレキシブル・ケーブル４６ＦＣを介してＰＴＡユニット３２２のアドレス・ドライバ回路４６に接続される。ドライバ制御回路４２は、さらに、一点鎖線で示されたケーブルを介してＰＴＡユニット３２２のアドレス・ドライバ回路４６に接続される。【００４３】
走査パルス回路７０はその走査電圧パルス−ＶｙをＰＴＡユニット３２１と３２２の間の境界において長さ２ＬｙのＹ電極のうちの長さＬｙの２つの部分に並列にそれぞれ印加するので、その境界からのＹ電極の長さはＰＴＡユニット３２１と３２２の各々の横幅Ｌｙに等しく、図９の場合（２Ｌｙ）の２分の１である。従って、走査パルス回路７０の走査電圧パルスが印加される境界上のＹ電極の部分から最も遠い位置にあるＰＴＡユニット３２１および３２２の各々におけるＹ電極の部分の放電セルでは、走査電圧パルス−Ｖｙの実効的な幅および高さが充分なので、アドレス放電に成功する可能性が高くなる。【００４４】
図１０は、本発明の別の実施形態による、表示装置１０４における、ＰＴＡユニット３２１の背面右側およびＰＴＡユニット３２７の背面左側の２つのＸ電極ドライバ回路基板５００、ＰＴＡユニット３２１の背面左側のＹ電極ドライバ回路７００、およびＰＴＡユニット３２１および３２２の背面下側の２つのアドレス電極ドライバ回路（ＡＤ）４６の電気的接続の例を示している。【００４５】
表示装置１０４において、ＰＴＡユニット３２１および３２７は両者の間の境界において互いに接続された表示電極対２ （Ｘ１，Ｙ１）〜（Ｘｎ，Ｙｎ）を有する。ＰＴＡユニット３２１に関するＸ電極ドライバ回路基板５００、Ｙ電極ドライバ回路７００およびアドレス電極ドライバ回路（ＡＤ）４６の電気的接続は、図９の場合と同様である。ＰＴＡユニット３２７のｎ対の表示電極２ （Ｘ１，Ｙ１）〜（Ｘｎ，Ｙｎ）のＸ電極は、ＰＴＡユニット３２７の左辺における前面支持基板３１の端部からフレキシブル・ケーブル５００ＦＣを介してＰＴＡユニット３２７の背面のＸ電極ドライバ回路基板５００に接続される。ＰＴＡユニット３２７のｍ本の信号電極３ Ａ１〜Ａｍは、ＰＴＡユニット３２７の底辺における背面支持基板３２の端部からフレキシブル・ケーブル４６ＦＣを介してＰＴＡユニット３２７のアドレス・ドライバ回路４６に接続される。ドライバ制御回路４２は、さらに、一点鎖線で示されたケーブルを介してＰＴＡユニット３２２のＸ電極ドライバ回路基板５００およびアドレス・ドライバ回路４６に接続される。【００４６】
走査パルス回路７０はその走査電圧パルス−ＶｙをＰＴＡユニット３２１と３２７の間の境界において長さ２ＬｙのＹ電極のうちの長さＬｙの２つの部分にそれぞれ印加するので、その境界からのＹ電極の長さはＰＴＡユニット３２１と３２７の各々の横幅Ｌｙに等しい。従って、走査パルス回路７０の走査電圧パルスが印加される境界上のＹ電極の部分から最も遠い位置にあるＰＴＡユニット３２１および３２７の各々におけるＹ電極の部分の放電セルでは、走査電圧パルス−Ｖｙの実効的な幅および高さが充分なので、アドレス放電に成功する可能性が高くなる。【００４７】
図１１は、本発明のさらに別の実施形態による、表示装置１０６における、ＰＴＡユニット３３の背面右側のＸ電極ドライバ回路基板５００、ＰＴＡユニット３３１の背面左側のＹ電極ドライバ回路７００、およびＰＴＡユニット３３１および３３２の背面下側の２つのアドレス電極ドライバ回路（ＡＤ）４６の電気的接続の例を示している。【００４８】
表示装置１０６において、ＰＴＡユニット３３１および３３２は両者の間の境界において互いに接続された表示電極対２ （Ｘ１，Ｙ１）〜（Ｘｎ，Ｙｎ）を有する。ＰＴＡユニット３３１に関するＹ電極ドライバ回路７００およびアドレス電極ドライバ回路（ＡＤ）４６の電気的接続は、図９のＰＴＡユニット３２１と同様である。この場合、ＰＴＡユニット３３１の背面にはＸ電極ドライバ回路基板５００が配置されていない。ＰＴＡユニット３３２のｎ対の表示電極２ （Ｘ１，Ｙ１）〜（Ｘｎ，Ｙｎ）のＸ電極は、ＰＴＡユニット３３１の左辺とＰＴＡユニット３３２の右辺の間の境界上の前面支持基板３１の部分からフレキシブル・ケーブル５００ＦＣを介してＰＴＡユニット３３２の背面のＸ電極ドライバ回路基板５００に接続される。ＰＴＡユニット３３２のｍ本の信号電極３ Ａ１〜Ａｍは、ＰＴＡユニット３３２の底辺における背面支持基板３２の端部からＰＴＡユニット３２１のアドレス・ドライバ回路４６に接続される。ドライバ制御回路４２は、さらに、一点鎖線で示されたケーブルを介してＰＴＡユニット３２２のＸ電極ドライバ回路基板５００およびアドレス・ドライバ回路４６に接続される。【００４９】
走査パルス回路７０はその走査電圧パルス−ＶｙをＰＴＡユニット３３１と３３２の間の境界において長さ２ＬｙのＹ電極のうちの長さＬｙの２つの部分にそれぞれ印加するので、その境界からのＹ電極の長さはＰＴＡユニット３３１と３３２の各々の横幅Ｌｙに等しい。従って、走査パルス回路７０の走査電圧パルスが印加される境界上のＹ電極の部分から最も遠い位置にあるＰＴＡユニット３３１および３３２の各々におけるＹ電極の部分の放電セルでは、走査電圧パルス−Ｖｙの実効的な幅および高さが充分なので、アドレス放電に成功する可能性が高くなる。【００５０】
図１２Ａおよび１２Ｂは、図１１の隣接する２つのＰＴＡユニット３３１と３３２の境界において前面支持基板３１の内面上の表示電極対２から、走査パルス回路７０および／またはＸ電極ドライバ回路基板５００への接続線２２を引き出す方法を示している。Ｙ電極の接続線２２はフレキシブル・ケーブル７０ＦＣ上に形成される。Ｘ電極の接続線２２はフレキシブル・ケーブル５００ＦＣ上に形成される。【００５１】
図１２Ａにおいて、別個のＰＴＡユニット３３２の前面支持基板３１の右辺からプラズマ・チューブ１１Ｂの外面に沿って背面支持基板３２の下側へ延びるように、前面支持基板３１上のそれぞれの表示電極対２に接続する接続線２２を形成する。次いで、図１２Ｂに示すように、ＰＴＡユニット３２１とＰＴＡユニット３３２の対応する表示電極対２２を互いに接触するように、ＰＴＡユニット３３１の左辺をＰＴＡユニット３３２の右辺に接続して、継ぎ目が目立たないようにする。表示電極２の中のＹ電極から引き出された接続線２２は、フレキシブル・ケーブル７０ＦＣ（図１１）を介してＰＴＡユニット３３１の背面左側に配置された走査パルス回路７０に接続される。表示電極対２の中のＸ電極から引き出された接続線２２は、フレキシブル・ケーブル５００ＦＣ（図１１）を介してＰＴＡユニット３３２の背面右側に配置されたＸ電極ドライバ回路基板５００に接続される。代替構成として、表示電極対２の中のＸ電極２は、図９および１０に示されているように、ＰＴＡユニット３３１の右辺および／またはＰＴＡユニット３３２の左辺においてフレキシブル・ケーブル５００ＦＣを介して、対応するＸ電極ドライバ回路基板５００に接続してもよい。【００５２】
図１３は、本発明のさらに別の実施形態による、表示装置１０８の隣接する４つのＰＴＡユニット３３１、３３２、３２６および３２７の背面における２つのＸ電極ドライバ回路基板５００、２つのＹ電極ドライバ回路７００、および４つのアドレス電極ドライバ回路（ＡＤ）４６の電気的接続の例を示している。【００５３】
表示装置１０８において、ＰＴＡユニット３３１、３３２、３２６および３２７はそれぞれの境界において互いに接続された表示電極対２ （Ｘ１，Ｙ１）〜（Ｘｎ，Ｙｎ）を有する。ＰＴＡユニット３３１および３３２における接続は図９の場合と同様である。ＰＴＡユニット３２７における接続は図１０の場合と同様である。ＰＴＡユニット３２６に関するＹ電極ドライバ回路７００の電気的接続は、図１１のＰＴＡユニット３３１の場合と同様である。この場合、ＰＴＡユニット３２６の背面には、電源４０およびドライバ制御回路４２が配置されていない。【００５４】
ＰＴＡユニット３３１の走査パルス回路７０はその走査電圧パルス−ＶｙをＰＴＡユニット３３１と３３２の間の境界において長さ４ＬｙのＹ電極のうちの長さＬｙの２つの部分にそれぞれ印加するので、その境界からのＹ電極の長さはＰＴＡユニット３３１と３３２の各々の横幅Ｌｙに等しい。ＰＴＡユニット３２６の走査パルス回路７０はその走査電圧パルス−ＶｙをＰＴＡユニット３２６と３２７の間の境界において長さ４ＬｙのＹ電極のうちの長さＬｙの２つの部分にそれぞれ印加するので、その境界からのＹ電極の長さはＰＴＡユニット３２６と３２７の各々の横幅Ｌｙに等しい。従って、走査パルス回路７０の走査電圧パルスが印加される境界上のＹ電極の部分から最も遠い位置にあるＰＴＡユニット３３１、３３２、３２６および３２７の各々におけるＹ電極の部分の放電セルでは、走査電圧パルス−Ｖｙの実効的な幅および高さが充分なので、アドレス放電に成功する可能性が高くなる。【００５５】
図１４は、本発明のさらに別の実施形態による、表示装置１１０の隣接する５つのＰＴＡユニット３２１、３２２、３２５、３２６および３２７の背面における２つのＸ電極ドライバ回路基板５００、２つのＹ電極ドライバ回路７００、および５つのアドレス電極ドライバ回路（ＡＤ）４６の電気的接続の例を示している。【００５６】
表示装置１１０において、ＰＴＡユニット３２１、３２２、３２５、３２６および３２７はそれぞれの境界において互いに接続された表示電極対２ （Ｘ１，Ｙ１）〜（Ｘｎ，Ｙｎ）を有する。ＰＴＡユニット３１１および３１２における接続は図９の場合と同様である。ＰＴＡユニット３２６および３２７における接続は図１３の場合と同様である。ＰＴＡユニット３２５における接続は図９のＰＴＡユニット３２２の場合と同様である。【００５７】
ＰＴＡユニット３２１の走査パルス回路７０はその走査電圧パルス−ＶｙをＰＴＡユニット３２１と３２２の間の境界において長さ４ＬｙのＹ電極のうちの長さＬｙおよび１．５Ｌｙの２つの部分にそれぞれ印加するので、その境界からのＹ電極のそれぞれの部分の長さはＰＴＡユニット３３１の横幅Ｌｙと１．５Ｌｙに等しい。ＰＴＡユニット３２６の走査パルス回路７０はその走査電圧パルス−ＶｙをＰＴＡユニット３２６と３２７の間の境界において長さ４ＬｙのＹ電極のうちの長さＬｙおよび１．５Ｌｙの２つの部分にそれぞれ印加するので、その境界からのＹ電極のそれぞれの部分の長さはＰＴＡユニット３２７の横幅Ｌｙと１．５Ｌｙに等しい。従って、走査パルス回路７０の走査電圧パルスが印加される境界上のＹ電極の部分から最も遠い位置にあるＰＴＡユニット３２１、３２２、３２５、３２６および３２７の各々におけるＹ電極の部分の放電セルでは、走査電圧パルス−Ｖｙの実効的な幅および高さが充分なので、アドレス放電に成功する可能性が高くなる。【００５８】
図１５は、本発明のさらに別の実施形態による、表示装置１１２の隣接する６つのＰＴＡユニット３２１、３２２、３２４、３２５、３２６および３２７の背面における２つのＸ電極ドライバ回路基板５００、３つのＹ電極ドライバ回路７００、および６つのアドレス電極ドライバ回路（ＡＤ）４６の電気的接続の例を示している。【００５９】
表示装置１１２において、ＰＴＡユニット３２１、３２２、３２４、３２５、３２６および３２７はそれぞれの境界において互いに接続された表示電極対２ （Ｘ１，Ｙ１）〜（Ｘｎ，Ｙｎ）を有する。ＰＴＡユニット３２１および３２２は図１３の場合と同様である。ＰＴＡユニット３２５、３２６および３２７における接続は図１３の場合と同様である。ＰＴＡユニット３２４における接続はＰＴＡユニット３２６と同様である。【００６０】
ＰＴＡユニット３３１、３２４および３２６の走査パルス回路７０は、その走査電圧パルス−Ｖｙを隣接する２つのＰＴＡユニット３３１と３３２、３２４と３２５、および３２６と３２７の間の境界において、長さ４ＬｙのＹ電極のうちの長さＬｙの２つの部分にそれぞれ印加するので、その境界からのＹ電極の長さはＰＴＡユニット３２１、３２２、３２４、３２５、３２６および３２７の各々の横幅Ｌｙに等しい。従って、走査パルス回路７０の走査電圧パルスが印加される境界上のＹ電極の部分から最も遠い位置にあるＰＴＡユニット３２１、３２２、３２４、３２５、３２６および３２７の各々におけるＹ電極の部分の放電セルでは、走査電圧パルス−Ｖｙの実効的な幅および高さが充分なので、アドレス放電に成功する可能性が高くなる。【００６１】
図１６は、図１３、１４および１５の２組以上の走査パルス回路７０の走査パルスの同期をとるための走査パルス波形を説明するのに役立つ。【００６２】
アドレス放電の誤りを防止するためには、ドライバ制御回路４２によって制御される図１３のＰＴＡユニット３３１および３２６の２組の走査パルス回路７０の走査パルス間の同期、ドライバ制御回路４２によって制御される図１４のＰＴＡユニット３２１および３２６の２組の走査パルス回路７０の走査パルス間の同期、またはドライバ制御回路４２によって制御される図１５のＰＴＡユニット３２１、３２４および３２６の３組の走査パルス回路７０の走査パルス間の同期のずれを防止する必要がある。【００６３】
図１３〜１５の各々における任意の２組の走査パルス回路７０の一方を走査パルス回路Ａとし、その他方を走査パルス回路Ｂとする。走査パルス回路ＡおよびＢの走査パルスは、Ｙ電極Ｙｊの走査パルス期間において走査パルス・オン期間Ｔａを有し、アドレスのための走査電圧パルスの最小値−Ｖｙの期間ＴｂおよびＴｂ’（Ｔｂ＝Ｔｂ’）をそれぞれ有する。Ｙ電極Ｙｊの走査パルス期間Ｔａにおいて、Ｙ電極Ｙｊ以外のＹ電極について走査パルス回路Ａの走査パルスは図１６Ｅのように走査パルス・オフ状態を有する。【００６４】
走査パルス回路Ｂの図１６Ｂの走査パルスは、走査パルス回路Ａの図１６Ａの走査パルスより最大で遅延時間Ｄ＝Ｔｔだけ遅延するものとする。１組の走査パルス回路Ａによって選択されたＹ電極Ｙｊが実効的にオン状態になるべき図１６Ｃの期間Ｔｂと、別の１組の走査パルス回路Ｂによって選択されたその前後のＹ電極Ｙｊ−１またはＹｊ＋１が実効的にオン状態になるべき図１６Ｄの期間Ｔｂ’とが、一方の走査パルスの遅延によって重ならないように、オン状態とオフ状態の間の遷移に、パルス遅延時間Ｄを考慮した余裕期間Ｔｔを設ける必要がある。従って、走査パルスは、最初の余裕期間Ｔｔにおいて接地電位ＧＮＤから電位−Ｖｙに立ち下がる傾斜（ランプ）を有し、２番目の余裕期間Ｔｔにおいて電位−Ｖｙから接地電位ＧＮＤに立ち上がる傾斜を有する。【００６５】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく、実施形態の種々の変形を行えることは明らかである。
【図面の簡単な説明】
【００６６】
【図１】図１は、通常のカラー表示装置のプラズマ・チューブまたはガス放電管のアレイの概略的な部分的構造を例示している。
【図２】図２Ａは、透明な複数の表示電極対が形成された前面側支持基板を示している。図２Ｂは、複数の信号電極または信号電極が形成された背面側支持基板を示している。
【図３】図３は、表示装置のプラズマ・チューブ・アレイの管の長手方向に垂直な断面の構造を示している。
【図４】図４は、通常の表示装置のＰＴＡユニットの背面におけるＸ電極ドライバ回路基板、Ｙ電極ドライバ回路、アドレス電極ドライバ回路、およびドライバ制御回路の電気的接続を示している。
【図５】図５は、ＰＴＡユニットに接続された、通常のＹ電極ドライバ回路におけるＹ電極用の維持電圧パルス回路および走査パルス回路と、Ｘ電極ドライバ回路基板上のＸ電極用の維持電圧パルス回路の概略的構成を示している。
【図６】図６は、通常の表示装置における、Ｘ電極ドライバ回路基板、Ｙ電極ドライバ回路およびアドレス・ドライバ回路の出力駆動電圧波形の概略的な駆動シーケンスを例示している。
【図７】図７は、通常の表示装置の隣接配置された２つのＰＴＡユニットの背面におけるＸ電極ドライバ回路基板、Ｙ電極ドライバ回路および２つのアドレス電極ドライバ回路の電気的接続を示している。
【図８】図８は、表示装置の隣接する２つのＰＴＡユニットにわたって延びる表示電極対のうちの走査電極Ｙｊの長手方向に沿った走査電圧パルス−Ｖｙの波形を示している。
【図９】図９は、本発明の実施形態による、表示装置における、ＰＴＡユニットの背面右側のＸ電極ドライバ回路基板、ＰＴＡユニットの背面左側のＹ電極ドライバ回路、およびＰＴＡユニットの背面下側の２つのアドレス電極ドライバ回路の電気的接続の例を示している。
【図１０】図１０は、本発明の別の実施形態による、表示装置における、ＰＴＡユニットの背面右側およびＰＴＡユニットの背面左側の２つのＸ電極ドライバ回路基板、ＰＴＡユニットの背面左側のＹ電極ドライバ回路、およびＰＴＡユニットの背面下側の２つのアドレス電極ドライバ回路の電気的接続の例を示している。
【図１１】図１１は、本発明のさらに別の実施形態による、表示装置における、ＰＴＡユニットの背面右側のＸ電極ドライバ回路基板、ＰＴＡユニットの背面左側のＹ電極ドライバ回路、およびＰＴＡユニットの背面下側の２つのアドレス電極ドライバ回路の電気的接続の例を示している。
【図１２】図１２Ａおよび１２Ｂは、図１１の隣接する２つのＰＴＡユニットの境界において前面支持基板の内面上の表示電極対から走査パルス回路および／またはＸ電極ドライバ回路基板への接続線を引き出す方法を示している。
【図１３】図１３は、本発明のさらに別の実施形態による、表示装置の隣接する４つのＰＴＡユニットの背面における２つのＸ電極ドライバ回路基板、２つのＹ電極ドライバ回路、および４つのアドレス電極ドライバ回路の電気的接続の例を示している。
【図１４】図１４は、本発明のさらに別の実施形態による、表示装置の隣接する５つのＰＴＡユニットの背面における２つのＸ電極ドライバ回路基板、２つのＹ電極ドライバ回路、および５つのアドレス電極ドライバ回路の電気的接続の例を示している。
【図１５】図１５は、本発明のさらに別の実施形態による、表示装置の隣接する６つのＰＴＡユニットの背面における２つのＸ電極ドライバ回路基板、３つのＹ電極ドライバ回路、および６つのアドレス電極ドライバ回路の電気的接続の例を示している。
【図１６】図１６は、図１３、１４および１５の２組以上の走査パルス回路の走査パルスの同期をとるための走査パルス波形を説明するのに役立つ。
【図１】
2007141847.tif 000003
【図２】
2007141847.tif 000004
【図３】
2007141847.tif 000005
【図４】
2007141847.tif 000006
【図５】
2007141847.tif 000007
【図６】
2007141847.tif 000008
【図７】
2007141847.tif 000009
【図８】
2007141847.tif 000010
【図９】
2007141847.tif 000011
【図１０】
2007141847.tif 000012
【図１１】
2007141847.tif 000013
【図１２】
2007141847.tif 000014
【図１３】
2007141847.tif 000015
【図１４】
2007141847.tif 000016
【図１５】
2007141847.tif 000017
【図１６】
2007141847.tif 000018
【国際調査報告】
2007141847.tif 000019
2007141847.tif 000020